(57)【特許請求の範囲】
【請求項１】
外部入力を切り換える入力切換装置であって、
少なくとも異なる映像信号が入力される複数の入力端子を有し、いずれかの入力端子に切り換える入力切換手段と、
この入力切換手段によって切り換えられた前記映像信号の画面表示モードを切り換える画面表示モード切換手段と、
前記入力端子のいずれかに切り換えられているときの前記画面表示モードでの視聴頻度をカウントするカウント手段と、
前記入力端子に対応し、前記カウント手段によってカウントされた前記画面表示モード毎の累積視聴頻度と、その累積視聴頻度に基づく各画面表示モード毎の入力切換順とが記憶される記憶手段と、
入力切換指示に応じて前記入力切換手段による切り換えと前記カウント手段によるカウントとを制御し、画面表示モード切換指示に応じて前記画面表示モード切換手段による画面表示モードの切り換えを制御する制御手段とを備え、
前記制御手段は、前記画面表示モードの切り換えに伴い、前記記憶手段に記憶されている前記入力切換順を参照し、前記入力切換指示に応じて前記入力切換手段による切り換えを制御する
ことを特徴とする入力切換装置。
【請求項２】
少なくとも前記入力切換手段による切り換えの情報をオンスクリーン表示させるための表示信号を出力する表示信号出力手段を有し、
前記制御手段は、前記入力切換手段の制御に伴い、前記表示信号出力手段に対し前記入力切換指示に応じて切り換えた情報をオンスクリーン表示させるように制御する
ことを特徴とする請求項１に記載の入力切換装置。
【請求項３】
前記制御手段は、前記入力切換手段による切り換えを制御した後、所定時間経過後に、前記カウント手段に対しカウントを行わせるように制御することを特徴とする請求項１又は２に記載の入力切換装置。
【請求項４】
前記視聴頻度は、視聴時間又は視聴回数であることを特徴とする請求項１〜３のいずれかに記載の入力切換装置。
【請求項５】
請求項１〜４のいずれかの入力切換装置を備えることを特徴とするテレビジョン受像機。
【請求項６】
外部入力を切り換える画面表示モード切換方法であって、
少なくとも異なる映像信号が入力される複数の入力端子のいずれかに切り換えるステップと、
切り換えられた前記映像信号の画面表示モードを切り換えるステップと、
前記入力端子のいずれかに切り換えられているときの前記画面表示モードでの視聴頻度をカウントするステップと、
前記入力端子に対応し、前記カウントされた前記画面表示モード毎の累積視聴頻度と、その累積視聴頻度に基づく各画面表示モード毎の入力切換順とが記憶されるステップと、
入力切換指示に応じて前記入力端子の切り換えと前記カウントとを制御し、画面表示モード切換指示に応じて前記画面表示モードの切り換えを制御するステップとを有し、
前記画面表示モードの切り換えに伴い、前記記憶されている前記入力切換順を参照し、前記入力切換指示に応じて前記外部入力の切り換えが制御される
ことを特徴とする入力切換方法。
【請求項７】
少なくとも前記外部入力の切り換えの情報をオンスクリーン表示させるための表示信号を出力するステップを有し、
前記外部入力の切り換えの制御に伴い、前記入力切換指示に応じて切り換えた情報がオンスクリーン表示されるように制御される
ことを特徴とする請求項６に記載の入力切換方法。
【請求項８】
前記入力端子の切り換えを制御した後、所定時間経過後に、前記カウントが行われるように制御されることを特徴とする請求項６又は７に記載の入力切換方法。
【請求項９】
前記視聴頻度は、視聴時間又は視聴回数であることを特徴とする請求項６〜８のいずれかに記載の入力切換方法。
【発明の詳細な説明】
【技術分野】
【０００１】
本発明は、画面表示モードの切換操作に連動して外部入力の入力切換のトグル順の並べ換えを行うようにした入力切換装置、テレビジョン受像機及び入力切換方法に関する。
【背景技術】
【０００２】
たとえば、テレビジョン受像機では、外部入力信号等を入力する複数の入力端子が設けられており、これらの入力端子に接続された外部機器からの信号入力を、たとえばリモコンに設けられている入力切換ボタンを操作する毎にトグル式に切り換えることができるようになっている。
【０００３】
ところで、入力切換ボタンの操作に応じた外部機器からの信号入力の切り換え順は固定されているため、所望の外部機器からの信号入力を選択する場合、入力切換ボタンの操作を繰り返す必要があり操作が煩雑である。
【０００４】
このような操作の煩雑さを解消するようにしたものとして、特許文献１では、それぞれの入力端子の利用時間を計測して記憶し、入力切換えの際には記憶されている利用時間の長いものから順に切り換えられるようにしたＡＶ機器を提案している。
【特許文献１】特開平１１−２６１９０７号公報
【発明の開示】
【発明が解決しようとする課題】
【０００５】
このように、上述した特許文献１では、入力切換えの際には記憶されている利用時間の長いものから順に切り換えられるので、操作性の向上が図れる。
【０００６】
ところで、たとえばテレビジョン受像機では、ダイナミック、標準、映画、ゲーム、ＡＶメモリ等のような様々な画面表示モードをＡＶモード切換ボタンによってトグル順に切り換えできるようになっている。
【０００７】
これらの画面表示モードは、部屋の明るさや再生ソフトの内容に合わせて切り換えすることで最適な映像が表示されるものであるが、上述した特許文献１のように、外部入力の切り換えが容易となった場合でも、外部入力の切り換え後に、ＡＶモード切換ボタンによって最適な画面表示モードを切り換えしようとすると、ＡＶモード切換ボタンの操作を繰り返す必要があり、操作が煩雑であるという問題があった。
【０００８】
本発明は、このような状況に鑑みてなされたものであり、上記問題点を解決することができる入力切換装置、テレビジョン受像機及び入力切換方法を提供することを目的とする。
【課題を解決するための手段】
【０００９】
本発明の入力切換装置は、外部入力を切り換える入力切換装置であって、少なくとも異なる映像信号が入力される複数の入力端子を有し、いずれかの入力端子に切り換える入力切換手段と、この入力切換手段によって切り換えられた前記映像信号の画面表示モードを切り換える画面表示モード切換手段と、前記入力端子のいずれかに切り換えられているときの前記画面表示モードでの視聴頻度をカウントするカウント手段と、前記入力端子に対応し、前記カウント手段によってカウントされた前記画面表示モード毎の累積視聴頻度と、その累積視聴頻度に基づく各画面表示モード毎の入力切換順とが記憶される記憶手段と、入力切換指示に応じて前記入力切換手段による切り換えと前記カウント手段によるカウントとを制御し、画面表示モード切換指示に応じて前記画面表示モード切換手段による画面表示モードの切り換えを制御する制御手段とを備え、前記制御手段は、前記画面表示モードの切り換えに伴い、前記記憶手段に記憶されている前記入力切換順を参照し、前記入力切換指示に応じて前記入力切換手段による切り換えを制御することを特徴とする。
また、少なくとも前記入力切換手段による切り換えの情報をオンスクリーン表示させるための表示信号を出力する表示信号出力手段を有し、前記制御手段は、前記入力切換手段の制御に伴い、前記表示信号出力手段に対し前記入力切換指示に応じて切り換えた情報をオンスクリーン表示させるように制御するようにすることができる。
また、前記制御手段は、前記入力切換手段による切り換えを制御した後、所定時間経過後に、前記カウント手段に対しカウントを行わせるように制御するようにすることができる。
また、前記視聴頻度は、視聴時間又は視聴回数であるようにすることができる。
本発明のテレビジョン受像機は、請求項１〜４のいずれかの入力切換装置を備えることを特徴とする。
本発明の入力切換方法は、外部入力を切り換える画面表示モード切換方法であって、少なくとも異なる映像信号が入力される複数の入力端子のいずれかに切り換えるステップと、切り換えられた前記映像信号の画面表示モードを切り換えるステップと、前記入力端子のいずれかに切り換えられているときの前記画面表示モードでの視聴頻度をカウントするステップと、前記入力端子に対応し、前記カウントされた前記画面表示モード毎の累積視聴頻度と、その累積視聴頻度に基づく各画面表示モード毎の入力切換順とが記憶されるステップと、入力切換指示に応じて前記入力端子の切り換えと前記カウントとを制御し、画面表示モード切換指示に応じて前記画面表示モードの切り換えを制御するステップとを有し、前記画面表示モードの切り換えに伴い、前記記憶されている前記入力切換順を参照し、前記入力切換指示に応じて前記外部入力の切り換えが制御されることを特徴とする。
また、少なくとも前記外部入力の切り換えの情報をオンスクリーン表示させるための表示信号を出力するステップを有し、前記外部入力の切り換えの制御に伴い、前記入力切換指示に応じて切り換えた情報がオンスクリーン表示されるように制御されるようにすることができる。
また、前記入力端子の切り換えを制御した後、所定時間経過後に、前記カウントが行われるように制御されるようにすることができる。
また、前記視聴頻度は、視聴時間又は視聴回数であるようにすることができる。
本発明の入力切換装置、テレビジョン受像機及び入力切換方法では、入力切換指示に応じて入力端子の切り換えとカウントとが制御し、また画面表示モード切換指示に応じて画面表示モードの切り換えが制御される際、画面表示モードの切り換えに伴い、記憶されている画面表示モード毎の累積視聴頻度に基づく各画面表示モード毎の入力切換順が参照され、入力切換指示に応じて外部入力の切り換えが制御される。
【発明の効果】
【００１０】
本発明の入力切換装置、テレビジョン受像機及び入力切換方法によれば、画面表示モードの切り換えに伴い、記憶されている画面表示モード毎の累積視聴頻度に基づく各画面表示モード毎の入力切換順が参照され、入力切換指示に応じて外部入力の切り換えが制御されるようにしたので、画面表示モードの切り換えに伴う外部入力の切換操作を簡素化することができる。
【発明を実施するための最良の形態】
【００１１】
本実施形態では、制御手段により、入力切換指示に応じて入力切換手段による入力端子の切り換えとカウント手段によるカウントとが制御し、また画面表示モード切換指示に応じて画面表示モード切換手段による画面表示モードの切り換えが制御される際、画面表示モードの切り換えに伴い、記憶手段に記憶されている画面表示モード毎のたとえば累積視聴時間に基づく各画面表示モード毎の入力切換順が参照され、入力切換指示に応じて外部入力の切り換えが制御されるようにし、画面表示モードの切り換えに伴う外部入力の切換操作が簡素化されるようにした。
【実施例】
【００１２】
以下、本発明の実施例の詳細について説明する。図１は、本発明の入力切換装置をテレビジョン受像機に適用した場合の一実施例を説明するための図である。
【００１３】
図１に示すように、テレビジョン受像機１０は、入力切換スイッチ部１１、映像／音声処理部１２、スピーカ１３、ＲＧＢプロセッサ１４、表示部１５、ＯＳＤ（Ｏｎ  Ｓｃｒｅｅｎ  Ｄｉｓｐｌａｙ）コントローラ１６、カウンタ１７、視聴時間記憶部１８、リモコン受信部１９、ＣＰＵ２０を備えている。なお、符号３０は、選局指示、外部入力切換指示、画面表示モード切換指示等を行うリモコンを示している。
【００１４】
入力切換スイッチ部１１は、入力端子１１ａ〜１１ｅを有し、リモコン３０からの入力切換指示に応じたＣＰＵ２０の制御により入力切換を行う。入力切換においては、画面表示モードの切換操作に連動してトグル順が並べ換えされた後述の入力切換テーブル１８ｆ〜１８ｋを基に行われるが、その詳細については後述する。
【００１５】
ここで、入力端子１１ａにはチューナからの映像／音声信号が入力されるようになっている。入力端子１１ｂは、ＩＮＰＵＴ１であり、たとえばＤＶＤからの映像／音声信号が入力されるようになっている。入力端子１１ｃは、ＩＮＰＵＴ２であり、たとえばＧＡＭＥ１からの映像／音声信号が入力されるようになっている。
【００１６】
入力端子１１ｄは、ＩＮＰＵＴ３であり、たとえばＧＡＭＥ２からの映像／音声信号が入力されるようになっている。入力端子１１ｅは、ＩＮＰＵＴ４であり、たとえばＶＴＲからの映像／音声信号が入力されるようになっている。なお、本実施例では、ＩＮＰＵＴ１〜４までを例示しているが、これに限定されるものではなく、ＩＮＰＵＴ５以上であってもよいことは勿論である。
【００１７】
映像／音声処理部１２は、入力切換スイッチ部１１を介して入力された映像／音声信号を処理し、スピーカ１３及びＲＧＢプロセッサ１４へ出力する。スピーカ１３は、映像／音声処理部１２からの音声信号を再生する。
【００１８】
ＲＧＢプロセッサ１４は、映像／音声処理部１２からの映像信号とＯＳＤコントローラ１６からの映像信号とをＲ，Ｇ，Ｂへ変換し表示部１５へ出力する。また、ＲＧＢプロセッサ１４は、ＣＰＵ２０からの指示に応じて表示部１５における画面表示モードを切り換えるように制御する。ここで、画面表示モードとしては、ＳＴＡＮＤＡＲＤ、ＭＯＶＩＥ、ＧＡＭＥ、ＤＹＮＡＭＩＣ、ＵＳＥＲ、ＤＹＮＡＭＩＣ（Ｆｉｘｅｄ）等がある。表示部１５は、ＲＧＢプロセッサ１４からの映像信号に基づき映像を表示する。
【００１９】
ＯＳＤコントローラ１６は、たとえばリモコン３０からの選局指示、外部入力切換指示、画面表示モード切換指示等に伴う情報等をオンスクリーン表示させるための表示信号を出力する。カウンタ１７は、切り換えられたいずれかのチューナ、ＩＮＰＵＴ１〜４における累積視聴時間をそれぞれの画面表示モード毎にカウントする。なお、カウンタ１７によるカウントは、実際に視聴された時間を累積するために、いずれかのチューナ、ＩＮＰＵＴ１〜４に切り換えられた後、所定時間（たとえば３０秒程度）経過後に開始されることが好ましい。
【００２０】
また、カウンタ１７によるカウント停止は、たとえば再度入力切換が行われるか、あるいはリモコン３０の電源ボタンが操作された場合となっている。ここで、画面表示モードとしては、上述したように、ＳＴＡＮＤＡＲＤ、ＭＯＶＩＥ、ＧＡＭＥ、ＤＹＮＡＭＩＣ、ＵＳＥＲ、ＤＹＮＡＭＩＣ（Ｆｉｘｅｄ）等があり、各チューナ、ＩＮＰＵＴ１〜４におけるそれぞれの画面表示モード毎の視聴時間はＣＰＵ２０によって判別され、視聴時間記憶部１８に記憶される。
【００２１】
視聴時間記憶部１８は、後述の各チューナ、ＩＮＰＵＴ１〜４に対応させた視聴履歴テーブル１８ａ〜１８ｅを有し、ＣＰＵ２０によって判別された各チューナ、ＩＮＰＵＴ１〜４における画面表示モード毎の累積視聴時間が書き換えられるようになっている。また、視聴時間記憶部１８は、各視聴履歴テーブル１８ａ〜１８ｅの累積視聴時間から各画面表示モード毎の入力切換のトグル順を決める順位が記憶される後述の入力切換テーブル１８ｆ〜１８ｋを有している。
【００２２】
リモコン受信部１９は、リモコン３０からの選局指示、外部入力切換指示、画面表示モード切換指示等を示す赤外線信号によるリモコン信号を受信する。
【００２３】
ＣＰＵ２０は、所定の制御プログラムに基づいて各部の動作を制御する。本実施例におけるＣＰＵ２０の主な制御としては、リモコン３０からの外部入力切換指示に基づき、入力切換スイッチ部１１による切り換えを制御することである。なお、入力切換スイッチ部１１による切り換えは、後述の入力切換テーブル１８ｆ〜１８ｋの順位に応じてトグル順となるように制御される。
【００２４】
また、ＣＰＵ２０の主な制御としては、入力切換スイッチ部１１による切り換えを制御してから所定時間（たとえば３０秒程度）経過後に、カウンタ１７に対して切り換えされたＩＮＰＵＴ１〜４のいずれかの画面表示モード毎の視聴時間をカウントさせることである。
【００２５】
また、ＣＰＵ２０の主な制御としては、カウンタ１７によるカウント値を基に、視聴時間記憶部１８の後述の各チューナ、ＩＮＰＵＴ１〜４に対応させた視聴履歴テーブル１８ａ〜１８ｅの画面表示モード毎の累積視聴時間を書き換えることである。
【００２６】
また、ＣＰＵ２０の主な制御としては、後述の視聴履歴テーブル１８ａ〜１８ｅの累積視聴時間から各画面表示モード毎に、チューナ、ＩＮＰＵＴ１〜４の視聴時間の長い順を判別し、後述の入力切換テーブル１８ｆ〜１８ｋの画面表示モード毎のチューナ、ＩＮＰＵＴ１〜４の順位を書き換えることである。
【００２７】
図２は、視聴時間記憶部１８に記憶される視聴履歴テーブル１８ａ〜１８ｅを説明するための図である。まず、図２（ａ）は、チューナに対応する視聴履歴テーブル１８ａであり、たとえばＳＴＡＮＤＡＲＤモード、ＤＹＮＡＭＩＣ（Ｆｉｘｅｄ）モード・・・の順に画面表示モードの累積視聴時間が長いことを示している。図２（ｂ）は、ＩＮＰＵＴ１に対応する視聴履歴テーブル１８ａであり、たとえばＭＯＶＩＥモード、ＧＡＭＥモード・・・の順に画面表示モードの累積視聴時間が長いことを示している。
【００２８】
図２（ｃ）は、ＩＮＰＵＴ２に対応する視聴履歴テーブル１８ｂであり、たとえばＧＡＭＥモード、ＳＴＡＮＤＡＲＤモード・・・の順に画面表示モードの累積視聴時間が長いことを示している。図２（ｄ）は、ＩＮＰＵＴ３に対応する視聴履歴テーブル１８ｃであり、たとえばＧＡＭＥモード、ＳＴＡＮＤＡＲＤモード・・・の順に画面表示モードの累積視聴時間が長いことを示している。
【００２９】
図２（ｅ）は、ＩＮＰＵＴ４に対応する視聴履歴テーブル１８ｄであり、たとえばＳＴＡＮＤＡＲＤモード、ＭＯＶＩＥモード・・・の順に画面表示モードの累積視聴時間が長いことを示している。
【００３０】
図３及び図４は、視聴時間記憶部１８に記憶される入力切換テーブル１８ｆ〜１８ｋを説明するための図である。入力切換テーブル１８ｆ〜１８ｋは、上記の視聴履歴テーブル１８ａ〜１８ｅの累積視聴時間から各画面表示モード毎に、チューナ、ＩＮＰＵＴ１〜４の視聴時間の長い順を判別し、画面表示モード毎のチューナ、ＩＮＰＵＴ１〜４のトグル順の順位を示すものである。
【００３１】
まず、図３（ａ）は、画面表示モードがＳＴＡＮＤＡＲＤである場合、その画面表示モードでの入力切換ボタンによる入力切換のトグル順がチューナ、ＩＮＰＵＴ１、ＩＮＰＵＴ３、ＩＮＰＵＴ２、ＩＮＰＵＴ４の順となるような順位であることを示している。
【００３２】
図３（ｂ）は、画面表示モードがＭＯＶＩＥである場合、その画面表示モードでの入力切換ボタンによる入力切換のトグル順がＩＮＰＵＴ１、ＩＮＰＵＴ４、チューナ、ＩＮＰＵＴ２、ＩＮＰＵＴ３の順となるような順位であることを示している。
【００３３】
図３（ｃ）は、画面表示モードがＧＡＭＥである場合、その画面表示モードでの入力切換ボタンによる入力切換のトグル順がＩＮＰＵＴ２、ＩＮＰＵＴ３、ＩＮＰＵＴ１、ＩＮＰＵＴ４、チューナの順となるような順位であることを示している。
【００３４】
図３（ｄ）は、画面表示モードがＤＹＮＡＭＩＣである場合、その画面表示モードでの入力切換ボタンによる入力切換のトグル順がチューナ、ＩＮＰＵＴ１、ＩＮＰＵＴ２、ＩＮＰＵＴ４、ＩＮＰＵＴ３の順となるような順位であることを示している。
【００３５】
図４（ｅ）は、画面表示モードがＵＳＥＲである場合、その画面表示モードでの入力切換ボタンによる入力切換のトグル順がチューナ、ＩＮＰＵＴ１、ＩＮＰＵＴ３、ＩＮＰＵＴ２、ＩＮＰＵＴ４の順となるような順位であることを示している。
【００３６】
図４（ｆ）は、画面表示モードがＤＹＮＡＭＩＣ（Ｆｉｘｅｄ）である場合、その画面表示モードでの入力切換ボタンによる入力切換のトグル順がチューナ、ＩＮＰＵＴ４、ＩＮＰＵＴ１、ＩＮＰＵＴ３、ＩＮＰＵＴ２の順となるような順位であることを示している。
【００３７】
次に、入力切換方法について説明する。なお、以下の説明では、リモコン３０の画面表示モードを切り換えるＡＶモード切換ボタンが操作される毎に、その画面表示モードがＳＴＡＮＤＡＲＤ、ＭＯＶＩＥ、ＧＡＭＥ、ＤＹＮＡＭＩＣ、ＵＳＥＲ、ＤＹＮＡＭＩＣ（Ｆｉｘｅｄ）の順に切り換えられるものとする。
【００３８】
まず、図５に示すように、ＣＰＵ２０により、リモコン３０のＡＶモード切換ボタンの操作の有無が判断され（ステップＳ１）、ＡＶモード切換ボタンの操作が有ると、そのＡＶモード切換ボタンの操作に応じて画面表示モードがＳＴＡＮＤＡＲＤ、ＭＯＶＩＥ、ＧＡＭＥ、ＤＹＮＡＭＩＣ、ＵＳＥＲ、ＤＹＮＡＭＩＣ（Ｆｉｘｅｄ）の順に切り換えられる（ステップＳ２）。これらの切り換えが行われる際は、ＯＳＤコントローラ１６から画面表示モードの切り換えを示す表示信号が出力され、表示部１５にオンスクリーン表示される。なお、画面表示モードのオンスクリーン表示は所定時間であればよい。
【００３９】
ここで、たとえば画面表示モードがＳＴＡＮＤＡＲＤに切り換えられたとする。このとき、ＣＰＵ２０により、一定時間内でリモコン３０の入力切換ボタンドの操作の有無が判断され（ステップＳ３）、入力切換ボタンの操作が無ければ、現時点での外部入力が継続される。
【００４０】
これに対し、一定時間内に入力切換ボタンの操作が有る場合は、図３及び図４に示した入力切換テーブル１８ｆ〜１８ｋが参照される（ステップＳ４）。すなわち、（ステップＳ２）でたとえばＳＴＡＮＤＡＲＤに切り換えられた場合、図３（ａ）に示す入力切換テーブル１８ｆが参照され、入力切換ボタンの操作に応じて入力切換がチューナ→ＩＮＰＵＴ１→ＩＮＰＵＴ３→ＩＮＰＵＴ２→ＩＮＰＵＴ４の順にトグル式に切り換えられるように入力切換スイッチ部１１による切り換えが制御される（ステップＳ５）。
【００４１】
このとき、ＣＰＵ２０によりＯＳＤコントローラ１６が制御され、入力切換が入力切換ボタンの操作に応じてトグル順にオンスクリーン表示されるための表示信号が出力される。これにより、表示部１５にリモコン３０の入力切換ボタンの操作に応じて切り換えられる外部入力の情報が表示されるため、ユーザは現在の外部入力を確認することができる。なお、画面表示モードのオンスクリーン表示は所定時間であればよい。
【００４２】
なお、（ステップＳ３）において、一定時間内に入力切換ボタンの操作が有る場合、入力切換テーブル１８ｆ〜１８ｋが参照されて入力切換スイッチ部１１による切り換えが制御されるようになっているが、ここで入力切換テーブル１８ｆ〜１８ｋを参照してトグル順の切り換えが行われるようにするか、あるいは初期設定されているトグル順での切り換えが行われるようにするかのいずれかをオンスクリーン表示によって選択できるようにしてもよい。
【００４３】
ちなみに、（ステップＳ２）でたとえばＭＯＶＩＥに切り換えられた場合、図３（ｂ）に示す入力切換テーブル１８ｇが参照され、入力切換ボタンの操作に応じて入力切換がＩＮＰＵＴ１→ＩＮＰＵＴ４→チューナ→ＩＮＰＵＴ２→ＩＮＰＵＴ３の順にトグル式に切り換えられるように入力切換スイッチ部１１による切り換えが制御されることになる。
【００４４】
また、ＧＡＭＥ、ＤＹＮＡＭＩＣ、ＵＳＥＲ、ＤＹＮＡＭＩＣ（Ｆｉｘｅｄ）のいずれかに切り換えられた場合も同様に、図３（ｃ），（ｄ）、図４（ｅ），（ｆ）の入力切換テーブル１８ｈ〜１８ｋが参照され、それぞれのテーブルにおける順位で入力切換がトグル式に切り換えられるように入力切換スイッチ部１１による切り換えが制御されることになる。
【００４５】
次いで、図６に示すように、ＣＰＵ２０により、入力切換スイッチ部１１による切り換えを制御してから所定時間（たとえば３０秒程度）経過すると（ステップＳ６）、カウンタ１７に対して切り換えされたたとえばチューナにおいて設定されている画面表示モードでの視聴時間のカウントが指示される（ステップＳ７）。
【００４６】
ここで、チューナにおいて設定されている画面表示モードがＳＴＡＮＤＡＲＤモードである場合は、そのモードに対する視聴時間のカウントが行われることになる。また、チューナにおいて設定されている画面表示モードがたとえばＤＹＮＡＭＩＣ（Ｆｉｘｅｄ）モードである場合は、そのモードに対する視聴時間のカウントが行われることになる。
【００４７】
他のＩＮＰＵＴ１〜４のいずれかに切り換えられている場合も同様にして、そのときの画面表示モードに対する視聴時間のカウントが行われることになる。
【００４８】
次いで、ＣＰＵ２０により、視聴終了か否かが判断される（ステップＳ８）。ここでの視聴終了か否かの判断は、たとえば再度入力切換が行われるか、あるいはリモコン３０の電源ボタンが操作された場合である。ここで、視聴終了と判断されると、ＣＰＵ２０により、カウンタ１７によるたとえばＳＴＡＮＤＡＲＤモードでのカウント値を基に、視聴時間記憶部１８の図２（ａ）に示したチューナに対応する視聴履歴テーブル１８ａのＳＴＡＮＤＡＲＤモードの累積視聴時間が書き換えられる。
【００４９】
同様に、カウンタ１７によるカウント値がたとえばＤＹＮＡＭＩＣ（Ｆｉｘｅｄ）モードである場合、図２（ａ）のチューナに対応する視聴履歴テーブル１８ａのＤＹＮＡＭＩＣ（Ｆｉｘｅｄ）の累積視聴時間が書き換えられることになる。
【００５０】
また、以上のような累積視聴時間の書き換えは、ＩＮＰＵＴ１〜ＩＮＰＵＴ４のいずれかに切り換えられた場合にも同様にして行われる。
【００５１】
以上のようにして視聴履歴テーブル１８ａ〜１８ｅのチューナ、ＩＮＰＵＴ１〜ＩＮＰＵＴ４のそれぞれの画面表示モードの累積視聴時間が時間の経過とともに書き換えられると、それに併せてＣＰＵ２０により、視聴履歴テーブル１８ａ〜１８ｅの累積視聴時間から各画面表示モード毎に、チューナ、ＩＮＰＵＴ１〜４の視聴時間の長い順が判別され、図３及び図４に示した各入力切換テーブル１８ｆ〜１８ｋの画面表示モード毎のチューナ、ＩＮＰＵＴ１〜４の順位が書き換えられる。
【００５２】
これにより、それぞれの画面表示モード毎に、チューナ、ＩＮＰＵＴ１〜ＩＮＰＵＴ４のそれぞれの入力切換のトグル順がユーザの嗜好に応じて決定される。そのため、ユーザが画面表示モードをリモコン３０のＡＶモード切換ボタンを操作して切り換えたとき、入力切換ボタンを１回操作することで、その画面表示モードに適したチューナ、ＩＮＰＵＴ１〜ＩＮＰＵＴ４のいずれかの入力切換が行われることになる。
【００５３】
このように、本実施例では、制御手段としてのＣＰＵ２０により、入力切換指示に応じて入力切換手段としての入力切換スイッチ部１１による入力端子の切り換えとカウント手段としてのカウンタ１７によるカウントが制御され、また画面表示モード切換指示に応じて画面表示モード切換手段としてのＲＧＢプロセッサ１４による画面表示モードの切り換えが制御される際、画面表示モードの切り換えに伴い、記憶手段としての視聴時間記憶部１８に記憶されている画面表示モード毎のたとえば累積視聴時間に基づく各画面表示モード毎の入力切換テーブル１８ｆ〜１８ｋの切換順が参照され、入力切換指示に応じて外部入力の切り換えが制御されるようにしたので、画面表示モードの切り換えに伴う外部入力の切換操作を簡素化することができる。
【００５４】
また、本実施例では、少なくとも入力切換テーブル１８ｆ〜１８ｋを参照しての外部入力の切り換えの情報をオンスクリーン表示させるための表示信号を出力する表示信号出力手段としてのＯＳＤコントローラ１６を有し、ＣＰＵ２０により、入力切換スイッチ部１１の切り換えの制御に伴い、ＯＳＤコントローラ１６に対し入力切換指示に応じて切り換えた情報をオンスクリーン表示させるように制御しているので、表示部１５に切り換えた現在の外部入力が表示され、ユーザに現在の外部入力を確認させることができる。
【００５５】
また、本実施例では、ＣＰＵ２０により、入力切換スイッチ部１１による切り換えが制御されてから所定時間（たとえば３０秒程度）経過した後、カウンタ１７に対してのカウントが指示されるようにしたので、実際に視聴された時間を累積することができる。
【００５６】
なお、本実施例では、入力切換指示に応じて視聴頻度であるたとえば視聴時間の長い順に入力切換が行われるようにした場合について説明したが、これに限らず、切り換えられた画面表示モードでの視聴回数の多い順に入力切換が行われるようにしてもよい。
【００５７】
この場合、カウンタ１７により、切り換えられた画面表示モードでの視聴をカウントし、たとえば視聴時間記憶部１８の視聴履歴テーブル１８ａ〜１８ｅでの累積視聴時間の項目にカウントされた回数が累積され、さらにその累積された回数に応じて各入力切換テーブル１８ｆ〜１８ｋの画面表示モード毎のチューナ、ＩＮＰＵＴ１〜４の順位が書き換えられるようにすればよい。
【００５８】
また、本実施例では、視聴時間記憶部１８に記憶されている画面表示モード毎のたとえば累積視聴時間に基づく各画面表示モード毎の入力切換テーブル１８ｆ〜１８ｋの切換順に基づき、入力切換のトグル順が制御される場合について説明したが、この例に限らず、いずれかの画面表示モードに切り換えられたとき、その画面表示モードでの累積視聴時間の長い外部入力に自動的に切り換えられるようにしてもよい。
【産業上の利用可能性】
【００５９】
テレビジョン受像機に限らず、ＰＤＡ、携帯電話、ノートパソコン、モバイル向けテレビ等の機器にも適用可能である。
【図面の簡単な説明】
【００６０】
【図１】本発明の入力切換装置をテレビジョン受像機に適用した場合の一実施例を説明するためのブロック図である。
【図２】図１の視聴時間記憶部に記憶される視聴履歴テーブルを説明するための図である。
【図３】図１の視聴時間記憶部に記憶される入力切換テーブルを説明するための図である。
【図４】図１の視聴時間記憶部に記憶される入力切換テーブルを説明するための図である。
【図５】図１のテレビジョン受像機における入力切換方法について説明するためのフローチャートである。
【図６】図１のテレビジョン受像機における入力切換方法について説明するためのフローチャートである。
【符号の説明】
【００６１】
１１  入力切換スイッチ部（入力切換手段）
１１ａ〜１１ｅ（入力端子）
１２  映像／音声処理部
１３  スピーカ
１４  ＲＧＢプロセッサ（画面表示モード切換手段）
１５  表示部
１６  ＯＳＤコントローラ（表示信号出力手段）
１７  カウンタ（カウント手段）
１８  視聴時間記憶部（記憶手段）
１８ａ〜１８ｅ  視聴履歴テーブル
１８ｆ〜１８ｋ  入力切換テーブル
１９  リモコン受信部
２０  ＣＰＵ（制御手段）
３０  リモコン
【図１】
0004713400.tif 000002
【図２】
0004713400.tif 000003
【図３】
0004713400.tif 000004
【図４】
0004713400.tif 000005
【図５】
0004713400.tif 000006
【図６】
0004713400.tif 000007